(57)【要約】  ラジアル円筒ローラー軸受は外軸受輪と内軸受輪を有しており、そのいずれもが、少なくとも一列の円筒ローラー列のための円筒状軌道面を有している。各円筒ローラーは、外軸受輪か内軸受輪の一つに当てられた可動の側板と、該一つの軸受輪に設けられた反対側支持縁部との間に保持されると共にもう一つの軸受輪に押し付けられており、このようにしてバックラッシ及び／叉は最小荷重が達成される。
2010506121.tif 000002
【特許請求の範囲】
【請求項１】
それぞれが、円筒ローラー案内用の円筒状の軌道面をもつ外軸受輪と内軸受輪、及び少なくとも一つの円筒ローラー列から成るラジアル円筒ローラー軸受であって、
各円筒ローラーが内軸受輪または外軸受輪の一つに沿って設けられた可動の側板と、当該一つの内軸受輪叉は外軸受輪上の反対側側板との間で締付けられて、もう一つの軸受輪に対して押し付けられており、
締付けは、可動の側板を用いて締付け力をそれぞれの円筒ローラーに作用する締付け力により行われ、
その締付け力は、半径方向力成分と軸方向力成分とを有しており、該軸方向力成分は、当該軸受輪上の反対側側板により受け止められ、該半径方向力成分はもう一つの軸受輪により受けられることを特徴とするラジアル円筒ローラー軸受。
【請求項２】
軸方向に可動の側板が、ローラーの反対側を支持する反対側側板に応じて軸受内輪又は軸受外輪側に設けられたことを特徴とする請求項１記載のラジアル円筒ローラー軸受。
【請求項３】
前記可動の側板、特に軸方向に可動の側板に隣接する前記円筒ローラーの縁部が丸められており、特に球面状に形成されていることを特徴とする請求項１または２のいずれかに記載のラジアル円筒ローラー軸受。
【請求項４】
前記側板が加圧面を有しており、この加圧面により、前記側板が、該円筒ローラーの丸められた縁部を加圧し、それにより、円筒ローラーに締め付け力を付与することを特徴とする先行する請求項のいずれかに記載のラジアル円筒ローラー軸受。
【請求項５】
前記加圧面が、前記円筒ローラーの丸められた領域により傾斜ボール軸受の接触面、特に４５°より小さい圧力角をもつ接触面を形成することを特徴とする先行する請求項に記載のラジアル円筒ローラー軸受。
【請求項６】
前記円筒ローラー（７）が側板（２１）において支持されている反対側端においても球状面縁部（２３）を形成し、該側板（２１）の反対側支持面（２２）は、該支持面が45°より小さい圧力角（α）を持って該球状面縁部（２３）に当接していることを特徴とする先行する請求項のいずれかに記載のラジアル円筒ローラー軸受。
【請求項７】
該側板（１５）が一つ又は多数のバネ部材（１６）により加圧されていることを特徴とする先行する請求項のいずれかに記載のラジアル円筒ローラー軸受。
【請求項８】
ラジアル円筒ローラー軸受を第三の部材に組付けつるための環状の組付け要素（１３，１４）が設けられており、前記バネ部材は、該環状組付け要素に配置されていることを特徴とする先行する請求項のいずれかに記載のラジアル円筒ローラー軸受。
【請求項９】
前記組付け要素（１３，１４）が、その周囲に溝（１７）を有しており、該溝に前記バネ部材が受容されていることを特徴とする先行する請求項のいずれかに記載のラジアル円筒ローラー軸受。
【請求項１０】
二列の円筒ローラー列を有しており、各円筒ローラー列が別々の側板により押圧されていることを特徴とする先行する請求項のいずれかに記載のラジアル円筒ローラー軸受。
【発明の詳細な説明】
【技術分野】
【０００１】
この発明は、夫々に少なくとも一列の円筒ローラー列のための走行面を有する外軸受輪と内軸受輪を有しているラジアル円筒ローラー軸受に関する。
【背景技術】
【０００２】
このようなラジアル円筒ローラー軸受は、よく知られており、軸をハウジングに支持し、主として半径方向の力を受ける必要のある個所において広く用いられている。このような軸受は軌道面を有する外軸受輪および軌道面を有する内軸受輪とその間に在るローラー列を有している。
【０００３】
通常は、円筒ローラーが案内される外軌道叉は内軌道を有している。
【０００４】
組立においては、例えば外軸受輪はハウジングに固定され、内軸受輪は回転支持されるべき軸に設けられる。このようなラジアル円筒ローラー軸受の構造と使用態様は基本的には公知である。
【０００５】
ここで論じている種類の軸受においては、最小荷重が掛かっていない場合に時たま抜け落ちることがあることが問題である。さらに、軸受が与えられた遊びをもって組付けられる必要がある場合に比較的費用がかかる調整を要する点で問題がある。
【０００６】
さらに、使用中の温度による膨張の結果、遊びが変化したり遊びがない場合とか、予荷重がある場合には、高い予荷重が時々生ずることがある。この軸受はしばしば、設計時に考慮すべき遊びの変化を生じ、軸受が冷たい時に運転状態を考慮した遊びを持つよう調整される。
【発明の概要】
【０００７】
従って、本発明の課題は、どんな使用状態においても、抜け落ちを防止でき、遊びの調節が容易なラジアル円筒ローラー軸受を提供することである。
【０００８】
上記課題の解決のために、冒頭に述べられた種類のラジアル円筒ローラー軸受において、本発明に従い、各円筒ローラーが、外軸受輪叉は内軸受輪に配設された可動の側板リングと、その外軸受輪叉は内軸受輪上の反対側板リングの間に固定され、遊び及び／叉は最小荷重がかけられるようになっている。
【０００９】
可動の側板リングの使用のもとに、張力を及ぼし各円筒ローラーに働く力は、傾斜ボール軸受の接触力に類似した軸方向及び半径方向の力成分を有している。この軸方向成分は反対側側板リングにより受け止められ、半径方向の成分は他の軸受リング、特に他の軸受けリングの円筒状軌道面により受け止められる。
【００１０】
本発明に従う軸受において、軸方向可動の側板の使用は特に利点がある。ローラーを対向して押し付ける第二の側板が内軸受輪側か外軸受輪に設けられているかに応じて、この側板を内軸受輪叉は外軸受輪に配設できる。
【００１１】
円筒ローラーは、この軸方向可動の側板に接する縁部において、ある半径で丸められ、特に球状に形成されている。
【００１２】
一方、側板は、力作用面を有しており、この面により、ローラーの固定に際して、この丸められた領域を押し付け、その締付け力はローラーに導かれ、軸方向と半径方向の成分に分けられる。
【００１３】
力作用面は、特に、ローラーの丸められた領域において、４５°より小さい圧力角を持つ傾斜ボール軸受の接触角を形成するよう形成されている。これにより、軸方向の力成分、短くは軸方向力と、半径方向の力成分、短くは半径方向力を生じる。半径方向成分は、夫々の円筒形ローラーを各軸受輪の軌道面の本質的に円筒状部分に押し付け、これにより遊びなし及び／叉は最小荷重が達成される。
【００１４】
特に有利なのは、円筒ローラーが軸受輪に支持される反対側端部にもＲ部（丸めた角）、特に球状縁部を有しており、これにより、軸受輪の反対側支持面も同様に４５°より小さい圧力角で球状縁部が支持される。
【００１５】
こうして、対称関係が生じる。即ち、４５°より小さい傾斜ボール軸受の接触角が両側の縁部に形成できる。これにより、ローラーを対抗する軸受輪の軌道面に押し付ける対称の半径方向成分が生じる。これにより、ローラーが常に十分荷重を受けており、リテーナー叉はローラーの抜け落ちが生じない。
【００１６】
それに加えて、本発明による固定により、常にローラーと軌道面の接触が実現でき、確実な均衡が達成できるので、遊びの調整がやさしくなる。
【００１７】
軸方向に可動の側板は、一つ叉は複数の弾性部材により固定されるのが目的に適っている。このために、ラジアル円筒ローラー軸受の第三部材への組み付けのために用いられるリング状の組み付け部材を使用するのが有利である。このリング状部材に弾性部材が配設され、そのために、周囲に溝が設けられそこに弾性部材が入れられる。
【００１８】
このような弾性部材として、例えば皿バネがあり、或いは小さなコイルばねを小さな穴に別々に収容した等間隔に配設された弾性集合体でもよい。
【００１９】
発明に従う一列ローラーの軸受の実施例に並んで、二列のローラーを配設できる。この場合、各ローラー列は別々の軸方向固定側板に向かい合い、両ローラー列は中央軸受け側板に押し付けられる。
【図面の簡単な説明】
【００２０】
本発明のその他の利点、特徴及び詳細は、図を参照して実施例をもとに以下に説明する。図は，概略図である。
【図１】は、発明に従うラジアル円筒ローラー軸受の断面の部分をしめす。
【図２】は、図１の領域IIの拡大図を示している。
【図３】は、本発明の第二実施例の部分断面を示している。
【発明を実施するための形態】
【００２１】
図１は、発明に従うラジアル円筒ローラー軸受１を組立られた状態で示す。ラジアル円筒ローラー軸受１は、円筒状軌道面３を持つ外軸受輪２と、同様に円筒状軌道面５を持つ内軸受輪４とさらに、リテーナー８内に等間隔に保持された多数の円筒ローラー７を有する円筒ローラー列から成る。円筒ローラー列７は軌道面３，５を走行する。図示された実施例においては、外軸受輪２はハウジング９に固定され、そこで係止肩部１０に支持されている。内軸受輪４は、軸１１に配設されそこで係止肩部１２に対して支持されている。外軸受輪と内軸受輪それぞれの固定のために、スリーブ状の組み付け部材１３，１４が設けられている。
【００２２】
本発明によるラジアル円筒ローラー軸受１においては、軸方向可動の側板１５が内軸受輪に配設されている。この側板は、取付け部材１４に設けられた溝状の凹部１７に配設された一つ叉は複数のバネ部材１６により内軸受輪４の軸方向に付勢されている。この側板１５は、加圧面１８を有しており、この面は、円筒ローラー７の球状縁部１９を加圧している。円筒ローラーは端部の縁部において、球状縁部分を有している。加圧面は、それに対応する、斜め方向の面部分を有し、この面部分上に、上記球状縁部分との接触個所が乗っている。側板１５の加圧面１８は、図２に拡大して示されているように、僅かの隙間２０を持って内軸受輪４から隔てられ、加圧面１８と球状縁部分１９との傾斜ボール軸受接触が生じるように形成されている。この傾斜角は４５°である。圧力角αは図２にしめされている。
【００２３】
図１が示すように、円筒ローラー７は、その反対側端が内軸受輪の肩部２１に支持されている。同様な態様で、肩部２１も反対側の支持面２２を有している。この支持面も、円筒ローラー７に設けられた球状縁部分２３と共に、４５°より小さい圧力角を有する傾斜尾ボール軸受接触面を形成している。ここにおいても、反対側支持面２２は傾斜した面部分２２を有し、ローラーの球状縁部分と共に傾斜ボール軸受接触を形成している。両側板即ち、側板２１と側板１５およびバネ要素１６により荷重負荷機構の全体に所定圧力角を有する荷重が生じて、そこから、半径方向力成分が生じ、この力が各円筒ローラーを外軸受輪２の軌道面３の円筒状部分に押し付ける。これにより、各ローラーは、十分に荷重を受けリテーナーやローラーが抜け落ちるのを防止できる。バネと半径方向遊びの適切な調整により、強すぎる予荷重を防止できる。その結果軸受は、工作機械で使用する場合のように、遊びなしの案内も保証できる。
【００２４】
図３に示された円筒ローラー軸受１においては、関係が逆になっている。ここでは、外軸受輪２に側板２１が備えられ、側板２１に配設された軸方向可動の側板１５を通して、円筒ローラー７がこの側板に押し付け支持されている。ここにおいても、側板１５は、軸方向に可動で、少なくとも一つのバネ要素１６により付勢されている。バネ要素は、外軸受輪２の固定作用をする組み付け要素１３内の、凹部１７に設けられている。
【００２５】
図１と２に関して述べられたように、側板１５には、相応の加圧面が備えられている。この加圧面は、傾斜ボール軸受の接触面の形成下にバネ力と４５°より小さい圧力角αから得られる半径方向力成分を持って円筒ローラー７の球状縁部に作用する。同様な方法で、外軸受輪の側板２１の反対側支持面も形成されている。この外軸受輪も図１と２に関して詳述したと同じように、円筒ローラーの球状縁部と協働する。この例においても、全体的に対称な半径方向力成分が生じ、この力が各円筒ローラーを内軸受輪４の軌道面５に押し付ける。
【符号の説明】
【００２６】
１：ラジアル円筒ローラー軸受
２：外軸受輪
３：軌道面
４；内軸受輪
５：軌道面
６：円筒ローラー列
７：円筒ローラー
８：リテーナ
９；ハウシング
１０；係止肩部
１１：軸
１２：係止肩部
１３：組付け要素
１４：組付け要素
１５；側板
１６：バネ部材
１７；凹部
１８；加圧面
１９；球状縁部
２０；間隙
２１；側板
２２；反対側支持面
２３；球状縁部
【図１】
2010506121.tif 000003
【図２】
2010506121.tif 000004
【図３】
2010506121.tif 000005
【国際調査報告】
2010506121.tif 000006
2010506121.tif 000007
2010506121.tif 000008
2010506121.tif 000009
2010506121.tif 000010